(57)【要約】【課題】火災感知器を利用し、火事等の緊急時に自動解錠できる施錠機構を提供する。【解決手段】建物の開口部１を開閉する面格子等の開閉仕切具２の端部可動枠６ａと、端部可動枠６ａが当接する固定枠３との間に介装して、開閉仕切具２を閉鎖位置に施錠するための施錠機構４であって、端部可動枠６ａに取り付けられた係止片７と、係止片７に対し係脱自在な被係止片８を有し、固定枠３内で施錠位置と解錠位置とに亘ってスライド自在に支持されるスライド杆９と、スライド杆９を解錠位置に付勢するバネ１０と、バネ１０の付勢力に抗してスライド杆９を施錠位置に保持するように引張する熱可塑性樹脂製の施錠位置保持索１１と、保持索１１に接するように配置されると共に火災感知器Ｋに連動して設けられたヒーター１３とからなり、ヒーター１３は、火事等の緊急時に火災感知器Ｋが熱又は煙を検知した検知信号により作動して施錠位置保持索１１を溶断する。【選択図】図２
2008057295.tif 000002
【特許請求の範囲】
【請求項１】
建物の窓や出入り口等の開口部を開閉する面格子や扉等の開閉仕切具の端部可動枠と、端部可動枠が当接する開口部側の固定枠との間に介装して、開閉仕切具を閉鎖位置に施錠するための開閉仕切具施錠機構であって、
端部可動枠及び固定枠の何れか一方に取り付けられた係止片と、係止片に対し係脱自在な被係止片を有し、他方の枠内で係止片が被係止片に係止する施錠位置と係止片が被係止片から離脱する解錠位置とに亘ってスライド自在に支持されるスライド杆と、スライド杆を解錠位置に付勢するバネと、このバネの付勢力に抗してスライド杆を施錠位置に保持するように引張する熱可塑性樹脂製の施錠位置保持索と、この保持索に接するように配置されると共に熱又は煙を検知する火災感知器に連動して設けられたヒーターとからなり、
ヒーターは、火事等の緊急時に火災感知器が熱又は煙を検知した検知信号により作動して前記保持索を溶断し、スライド杆を解錠位置に戻すようにした開閉仕切具施錠機構。
【請求項２】
ヒーターは、施錠位置保持索が溶断してスライド杆が解錠位置に戻った時に作動が停止するようになっている請求項１に記載の開閉仕切具施錠機構。
【発明の詳細な説明】
【技術分野】
【０００１】
本発明は、一戸建て住宅やマンションあるいはビル等における建物の窓や出入り口等の開口部を開閉する面格子、引き違い戸、扉、シャッター等の開閉仕切具を閉鎖位置に施錠する開閉仕切具施錠機構に関するもので、特に、火事等の緊急時に自動的に解錠できるようにした開閉仕切具施錠機構に関する。
【背景技術】
【０００２】
例えば面格子は、従来、防犯目的から窓開口部の室外側に固定して設けられていたが、固定式の面格子では、火災発生時等の緊急時には窓開口部からの脱出が阻まれて惨事を招くおそれがある。そこで本出願人は、例えば特許文献１に示すように、面格子を、窓開口部の外側へ開放回動可能な回動式としたり、窓開口部の側方へ開放移動可能なスライド式としたりして、平常時は施錠装置によりその面格子を窓開口部側の固定枠に対し施錠し、火災発生時等の緊急時にはぬの施錠を解錠し、面格子を開放して、窓開口部から緊急脱出できるようにしている。
【特許文献１】特許第３２４７６２４号公報
【発明の開示】
【発明が解決しようとする課題】
【０００３】
特許文献１その他に示す面格子では、施錠装置の解錠はあくまでも手動操作で行なうようになっており、しかもある程度の力を要することから、幼児や身障者等によっては解錠操作を行なうことが困難な場合がある。そこで、本発明は、熱又は煙を検知する既設の火災感知器を利用して、火事等の緊急時に自動的に解錠でき、それにより誰でも容易迅速に内部からの脱出又は外部からの救出ができるようにした開閉仕切具施錠機構を提供することを目的とする。
【課題を解決するための手段】
【０００４】
上記課題を解決するための手段を、後述する実施形態の参照符号を付して説明すると、請求項１に係る発明は、建物の窓や出入り口等の開口部１を開閉する面格子や扉等の開閉仕切具２，１２，２２の端部可動枠６ａと、端部可動枠６ａが当接する開口部１側の固定枠３との間に介装して、開閉仕切具２，１２，２２を閉鎖位置に施錠するための開閉仕切具施錠機構４であって、
端部可動枠６ａ及び固定枠３の何れか一方に取り付けられた係止片７と、係止片７に対し係脱自在な被係止片８を有し、他方の枠内で係止片７が被係止片８に係止する施錠位置と係止片７が被係止片８から離脱する解錠位置とに亘ってスライド自在に支持されるスライド杆９と、スライド杆９を解錠位置に付勢するバネ１０と、このバネ１０の付勢力に抗してスライド杆９を施錠位置に保持するように引張する熱可塑性樹脂製の施錠位置保持索１１と、この保持索１１に接するように配置されると共に熱又は煙を検知する火災感知器Ｋに連動して設けられたヒーター１３とからなり、
ヒーター１３は、火事等の緊急時に火災感知器Ｋが熱又は煙を検知した検知信号により作動して前記保持索１１を溶断し、スライド杆９を解錠位置に戻すようにしたことを特徴とする。
【０００５】
請求項２は、請求項１に記載の開閉仕切具施錠機構において、ヒーター１３は、施錠位置保持索１１が溶断してスライド杆９が解錠位置に戻った時に作動が停止するようになっていることを特徴とする。
【発明の効果】
【０００６】
上記解決手段による発明の効果を、後述する実施形態の参照符号を付して説明すると、請求項１に係る発明によれば、火事等の緊急時に火災感知器Ｋが熱又は煙を検知した時、その検知信号によってヒーター１３が加熱作動し、その加熱により熱可塑性材料からなる施錠位置保持索１１が溶断し、それによりスライド杆９は、バネ１０の付勢力で自動的に施錠位置から解錠位置へ急速スライドして、被係止片８が固定枠３側の係止片７から離脱し、解錠位置に保持される。スライド杆９が解錠位置に保持されるから、開閉仕切具２，１２，２２の端部可動枠６ａを開放側へ移動させるだけで、窓開口部等の開口部１が開放され、屋内の人は容易に脱出することができ、また屋外からの救出作業を容易に行なうことができる。
【０００７】
請求項２に係る発明によれば、スライド杆９が解錠位置に戻った時にヒーター１３の作動が停止するから、ヒーター１３の継続加熱作動による危険性を回避できる。
【発明を実施するための最良の形態】
【０００８】
以下に本発明の好適な実施形態を図面に基づいて説明すると、図１の(a) は開閉仕切具として使用した面格子が閉鎖位置にある状態を室内側から見た正面図であり、(b) は同面格子が一部開放位置にある状態の正面図である。この図１の(a) ，(b) において、１は建物の窓開口部で、この窓開口部１内に、開閉仕切具としての面格子２が配設されている。３は窓開口部１内の一端部に固定された固定枠で、この固定枠３と、面格子２の端部可動枠６ａとの間に、面格子２を閉鎖位置に施錠するための開閉仕切具施錠機構４が介装されている。
【０００９】
開閉仕切具としての面格子２は、例えば周知構造のスライド式面格子で、窓開口部１に固定して取り付けられる上下一対の中空状ガイドレール５，５と、両ガイドレール５，５上にこれを横切るように配置され且つガイドレール５の長手方向に並列状に配列される多数の格子６…と、ガイドレール５の中空部内に挿通される筒状部（図示省略）を有してガイドレール５にスライド可能に係嵌されると共に各格子６に固定されるスライダー（図示省略）と、このスライダーを介して格子６を所定間隔おきに連結固定する紐状体（図示省略）とからなり、紐状体は、各ガイドレール５の中空部内に挿通させると共に各スライダーの筒状部内に挿通させ、各スライダーは、その筒状部をかしめることによって紐状体の所定位置に固定させる。
【００１０】
そして、多数の格子６…のうち固定枠３に当接する格子６を端部可動枠６ａとし、この端部可動枠６ａと反対側の端部にある格子６を上下ガイドレール５，５の夫々端部に固定した状態で、端部可動枠６ａを固定枠３に接近するようにスライドさせると、隣接する格子６が紐状体で順次牽引されて一定間隔毎に配列され、図１の(a) のように窓開口部１が閉鎖される。また、端部可動枠６ａを固定枠３から離れる方向にスライドさせると、図１の(b) に示すように他の格子６も順次開放方向へ押されて、格子６全体が他端側へ片寄り状態に収縮し、窓開口部１が開放されるようになっている。
【００１１】
上記面格子２を閉鎖位置に施錠する開閉仕切具施錠機構４は、窓開口部１の固定枠３と面格子２の端部可動枠６ａとの間に介装されたもので、以下にこの施錠機構４の構造及び作用について説明する。
【００１２】
この施錠機構４は、図２の(a) に示すように、面格子２の端部可動枠６ａの上下２箇所に取り付けられた係止片７と、この係止片７に対し係脱自在な被係止片８を上下両端部に有し、窓開口部１側の固定枠３内で係止片７が被係止片８に係止する施錠位置と係止片７が被係止片８に対し離脱する解錠位置とにわたってスライド自在に支持されるスライド杆９と、このスライド杆９を解錠位置に付勢するように固定枠３の上端部とスライド杆９の上端部との間に介装されたコイルバネ１０と、このコイルバネ１０の付勢力に抗してスライド杆９を施錠位置に保持するように引張する熱可塑性樹脂製の施錠位置保持索１１と、この保持索１１に接するように配置されると共に熱又は煙を検知する火災感知器Ｋに連動して設けられたヒーター１３とからなるもので、ヒーター１３は、火事等の緊急時に火災感知器Ｋが熱又は煙を検知した検知信号により作動して施錠位置保持索１１を溶断し、それによりスライド杆９が解錠位置に急速スライドして解錠されるようになっている。
【００１３】
上記施錠機構４の構造について更に詳細に説明すると、スライド杆９は、図２の(b) ，(c) に示すように、固定枠３に設けられた固定ガイド部１４，１５間にスライド自在に配置されていると共に、固定ガイド部１４に固定された取付軸１６がスライド杆９の下部側に設けられた長孔１７に挿通されることによって所定ストロークだけ上下にスライドできるようになっている。またスライド杆９の上部側には取付軸１８が固定され、この取付軸１８は固定ガイド部１４に設けられた長孔１９に挿通されている。
【００１４】
また図２の(a) 〜(c) に示すように、下部側の取付軸１６と上部側の取付軸１８との中間部にはベークライト等の絶縁性材料からなるヒーター取付台２０が設置され、この取付台２０にヒーター１３が取り付けられている。そして、このヒーター取付台２０を挟んで上下に位置する上下両取付軸１６，１８に、施錠位置保持索１１が、ヒーター１３に当接するように掛け渡されるようになっている。
【００１５】
施錠位置保持索１１は、釣糸のようなナイロン製の比較的細い紐状体からなるもので、その両端部には図２の(b) ，(c) に概略示すように、取付軸１６，１８に嵌め入れるための金属製の取付リングＲが取り付けられている。
【００１６】
この施錠位置保持索１１は、スライド杆９を解錠位置に付勢するコイルバネ１０のバネの付勢力に抗してスライド杆９を施錠位置に保持するもので、その取付けにあたっては、図２の(a) ，(b) に示すように、コイルバネ１０によって上向きに引っ張られているスライド杆９を、その付勢力に抗して下向きに引っ張りながら、スライド杆９の被係止片８が端部可動枠６ａ側の係止片７と係合して施錠状態となるように、施錠位置保持索１１の両端部の取付リングＲ，Ｒを、固定ガイド部１４側の取付軸１６とスライド杆９側の取付軸１８とに嵌め入れる。
【００１７】
この際、スライド杆９の被係止片８が端部可動枠６ａ側の係止片７に的確に係合して確実に施錠位置を保持させる必要があるため、保持索１１の長さを適当に選択すると共に、取付軸１６，１８にナット２１を螺合して、このナット２１を適宜移動することにより、スライド杆９の施錠位置に的確に調整するようにする。
【００１８】
また、図１の(a) 〜(c) において、ＬＳはリミットスイッチで、火事等の緊急時に火災感知器Ｋが熱又は煙を検知した検知信号によりヒーター１３が作動して施錠位置保持索１１を溶断し、スライド杆９が解錠位置に戻った時に、ヒーター１３への通電を停止するものである。即ち、このリミットスイッチＬＳは、スライド杆９を施錠位置に保持していた施錠位置保持索１１が、ヒーター１３の加熱により溶断してスライド杆９が解錠位置に戻った時に、後述するようにスライド杆９と一体の取付軸１８が作動レバー３０を押して、ヒーター１３への通電回路が開き、ヒーター１３の作動を停止するようになっている。
【００１９】
図３は火災感知器Ｋとヒーター１３とリミットスイッチＬＳとマグネットリレー式制御部２３と電源２４とからなる電気回路図を示す。火災感知器Ｋは、屋内の所要箇所に設置されている既設の火災感知器で、熱又は煙を検知し、この検知信号によって警報音を鳴らすもので、この検知信号はまた、制御部２３によってヒーター１３を加熱作動するようになっている。電源２４には、直流電源としての乾電池又はＡＣアダプターが使用され、この電源２４は、図２には示していないが、固定枠３内部の所要箇所に収納されるか、固定枠３外の室内所要箇所に設置されるようになっている。
【００２０】
次に、上記のような構成よりなる開閉仕切具施錠機構４の作用について説明する。
【００２１】
平常時は、スライド杆９は、施錠位置保持索１１によって、図２の(a) ，(b) に示すようにコイルバネ１０のバネの付勢力に抗して施錠位置に保持され、しかして面格子２は、この施錠位置における端部可動枠６ａ側の係止片７と固定枠３側の被係止片８との係止作用によって、図１の(a) に示す閉鎖位置に施錠されている。
【００２２】
そして、火災発生時等の緊急時に火災感知器Ｋが熱又は煙を検知すると、その検知信号によってヒーター１３が加熱作動し、その加熱によりナイロン製の施錠位置保持索１１が図２の(c) に示すように溶断する。施錠位置保持索１１が溶断すると、スライド杆９は、コイルバネ１０の付勢力によって自動的に施錠位置から解錠位置へと急速スライドする。即ち、施錠位置保持索１１の溶断によって、スライド杆９が上方側（解錠位置側）へ急速スライドして、被係止片８が図２の(a) の仮想線で示すように固定枠３側の係止片７から離脱し、スライド杆９は解錠位置に保持される。
【００２３】
スライド杆９が解錠位置に保持されているから、面格子２の端部可動枠６ａを固定枠３から離れる方向せスライドさせれば、図１の(b) に示すように他の格子６も順次開放方向へ押されて、格子６全体が他端側へ片寄り状態に収縮し、窓開口部１が開放されて、ここから緊急脱出することができる。この面格子２の開放操作は、室内側、室外側の何れの側からでも行なうことができる。
【００２４】
また、施錠位置保持索１１がヒーター１３の加熱により溶断してスライド杆９が解錠位置に戻る時には、図２の(b) 及び(c) を参照すれば分かるように、スライド杆９に固定された取付軸１８がリミットスイッチＬＳの作動レバー３０を押し、それにより図３の仮想線で示すようにヒーター１３への通電回路を開閉するスイッチ片２５が開動し、このスイッチ片２５の開動によってヒーター１３の作動が停止する。
【００２５】
このようにスライド杆９が解錠位置に戻った時にヒーター１３の作動が停止するから、ヒーター１３の継続加熱作動による危険性を回避することができる。
【００２６】
図４は開閉仕切具として引き違い戸１２を使用した場合を示すもので、この引き違い戸１２が閉鎖位置にある状態を室内側から見た正面図である。引き違い戸１２は、建物の出入り口（開口部）１に建て込まれた２枚の引き戸１２ａ，１２ｂからなるもので、この実施形態では一方の引き戸１２ａがスライド自在で、他方の引き戸１２ｂは固定されているものとする。
【００２７】
しかして、建物の出入り口１内の一端部に固定された固定枠３と、引き戸１２ａの端部可動枠６ａとの間に、引き戸１２ａを閉鎖位置に施錠するための開閉仕切具施錠機構４が介装されている。この開閉仕切具施錠機構４の構造及び作用については、図１〜図３によって説明した面格子２の施錠機構４とほとんど同様であるため、説明を省略する。
【００２８】
図５は、開閉仕切具として扉２２（開き戸、ドア）を使用した場合の実施形態を示す。この扉２２が閉鎖位置にある状態を室内側から見た正面図である。この扉２２は建物の出入り口（開口部）１に一端部を蝶番２６で枢着して開閉自在としたもので、出入り口１内の一端部に固定された固定枠３と、扉２２の端部可動枠６ａとの間に、扉２２を閉鎖位置に施錠するための開閉仕切具施錠機構４が介装されている。図５において、２７は扉２２の把手を示す。この開閉仕切具施錠機構４の構造及び作用については、図１〜図３によって説明した面格子２の施錠機構４とほとんど同じであるため、その説明を省略する。
【００２９】
以上の実施形態では、開閉仕切具として、面格子、引き違い戸及び扉（開き戸、ドア）について説明したが、本発明の開閉仕切具施錠機構４は、引き込みタイプの開閉仕切具、一部取外しタイプの開閉仕切具等にも適用可能である。更にまた、開閉仕切具としては、シャッターを使用できるものである。また開閉仕切具としての面格子は、この実施形態に示したスライドタイプのもの以外の例えば開きタイプなど各種の面格子を使用できる。
【００３０】
また実施形態では、係止片７を端部可動枠６ａ側に取り付け、被係止片８を有するスライド杆９を固定枠３側に設けたが、開閉仕切具によっては、端部可動枠６ａ側に被係止片８を有するスライド杆９を設け、固定枠３側に係止片７を取り付けてもよい。
【図面の簡単な説明】
【００３１】
【図１】図１の(a) は開閉仕切具として用いた面格子が閉鎖位置にある状態を室内側から見た正面図、(b) は同面格子が一部開放位置にある状態の正面図である。
【図２】(a) は図１の(a) の一部拡大図、(b) は(a) のＸ−Ｘ線断面図、(c) は施錠位置保持索が溶断した状態を示す(c) と同様な断面図である。
【図３】開閉仕切具施錠機構の電気回路図である。
【図４】開閉仕切具として引き違い戸を使用した実施形態の正面図である。
【図５】開閉仕切具として扉を使用した実施形態の正面図である。
【符号の説明】
【００３２】
１            窓開口部、出入り口（開口部）
２            面格子（開閉仕切具）
３            固定枠
４            開閉仕切具施錠機構
６ａ          端部可動枠
７            係止片
８            被係止片
９            スライド杆
１０          コイルバネ
１１          施錠位置保持索
１２          引き違い戸（開閉仕切具）
１３          ヒーター
２２          扉（開閉仕切具）
ＬＳ          リミットスイッチ
Ｋ            火災感知器
【図１】
2008057295.tif 000003
【図２】
2008057295.tif 000004
【図３】
2008057295.tif 000005
【図４】
2008057295.tif 000006
【図５】
2008057295.tif 000007